(57)【要約】【課題】機械的開閉も可能な複数の錠部を有するものにおける防犯上の安全性を向上させる。【解決手段】電気的開閉が可能で且つシリンダーを有して鍵による機械的開閉も可能な少なくとも２つの錠部１を備えた電気錠において、いずれかの錠部が解錠されてから所定時間内に全ての錠部が解錠されなければ、解錠された錠部を電気的に施錠する。鍵による開閉が可能であるとはいえ、少なくとも２つの錠部を所定時間内に解錠しないことには、いったん解錠した錠部が施錠状態に戻されるために、ピッキングで全錠部が解錠された状態になることがまずないものである。【選択図】図１
2010024827.tif 000002
【特許請求の範囲】
【請求項１】
電気的開閉が可能で且つシリンダーを有して鍵による機械的開閉も可能な少なくとも２つの錠部を備えた電気錠において、いずれかの錠部が解錠されてから所定時間内に全ての錠部が解錠されなければ、解錠された錠部を電気的に施錠することを特徴とする電気錠。
【請求項２】
いずれかの錠部が解錠されてから所定時間内に全ての錠部が解錠されない時に警報を出力するものであることを特徴とする請求項１記載の電気錠。
【発明の詳細な説明】
【技術分野】
【０００１】
本発明は電気錠、殊にシリンダーを有して鍵やサムターンによる機械的開閉も可能となっている電気錠に関するものである。
【背景技術】
【０００２】
電気錠で鍵による機械的開閉のためのシリンダーを有していないものは、いわゆるピッキングによる解錠がなされることがないために防犯上はきわめて有利であるが、ＡＣ１００Ｖ電源で電源供給を行うものでは、停電時に家屋からの締め出しが生じることがあり、停電補償用バッテリを付設しているものでもバッテリ故障の際に締め出しが懸念される。乾電池を電源とするとともに電池切れ間近になれば警告を行う機能を備えたものもあるが、これにしても警告を放置してしまった時や、警告手段そのものが異常をきたした時、締め出しが生じてしまうおそれがある。
【０００３】
一方、シリンダーを有して鍵による開閉も可能となっている電気錠は、停電時には鍵によって開閉を行うことができるために、締め出しが生じてしまうおそれはないが、ピッキングによる解錠がなされてしまう可能性があることから、防犯上で問題がある。
【０００４】
このために、シリンダーを有して鍵による開閉も可能となっている電気錠では、電気的開閉が可能で且つ鍵による開閉も可能な少なくとも２つの錠部を設けたものが提供されている。
【０００５】
しかし、電気的に施錠するのであれば、複数の錠部を同時に施錠してしまうことができるが、何らかの理由で機械的に施錠する場合、複数の錠部に対して夫々施錠動作を行う必要があり、この煩わしさが時として一つの錠部しか施錠しないという防犯上好ましくない事態を招くことになる。
【０００６】
また、錠部が２つあるとはいえ、いずれもピッキングによって解錠が可能なものであることから防犯上での問題を依然として有しており、停電時の締め出しの問題を無くしつつ、防犯上の安全性をさらに高くしたものが望まれている。
【先行技術文献】
【特許文献】
【０００７】
【特許文献１】特開平９−２８７３２９号公報
【発明の概要】
【発明が解決しようとする課題】
【０００８】
本発明は上記の従来の問題点に鑑みて発明したものであって、機械的開閉も可能な複数の錠部を有するものにおける使い勝手を向上させた電気錠を提供することにあり、鍵による開閉も可能であるとともに防犯上の安全性も高い電気錠を提供することを他の課題とするものである。
【課題を解決するための手段】
【０００９】
上記課題を解決するために本発明に係る電気錠は、電気的開閉が可能で且つシリンダーを有して鍵による機械的開閉も可能な少なくとも２つの錠部を備え、いずれかの錠部が解錠されてから所定時間内に全ての錠部が解錠されなければ、解錠された錠部を電気的に施錠することを特徴とする。停電時には鍵を使用して施解錠を行うことができるものであり、従って締め出しの可能性を排除することができるものであり、しかもなんらかの理由で機械的施錠を行うにあたり、一つの錠部を施錠すれば、他の錠部の施錠が自動的になされるものである。鍵による開閉が可能であるとはいえ、少なくとも２つの錠部を所定時間内に解錠しないことには、いったん解錠した錠部が施錠状態に戻されるために、ピッキングで全錠部が解錠された状態になることがまずないものである。
【００１０】
そして、いずれかの錠部が解錠されてから所定時間内に全ての錠部が解錠されない時に警報を出力するものであると、錠部の電気的施錠がなされないようにされた場合に警報が出力されることになり、より安全性が向上したものとなる。
【発明の効果】
【００１１】
本発明においては、機械的施錠を行うにあたって一つの錠部を施錠すれば、他の錠部の施錠が自動的になされることから、機械的施錠を行う場合の手間が省けて使い勝手が良い上に、他の錠部が解錠状態のままになってしまうことを防ぐことができ、防犯性を高めることができる。
【図面の簡単な説明】
【００１２】
【図１】本発明の実施の形態の一例の動作を示すフローチャートである。
【図２】同上のブロック図である。
【図３】同上の他の動作を示すフローチャートである。
【図４】同上の検知手段の出力を示すタイムチャートである。
【発明を実施するための形態】
【００１３】
以下本発明を実施の形態の一例に基づいて詳述すると、図２に示すように、この電気錠は、デッドボルト１１と、鍵穴１２０を有してその回転でデッドボルト１１を出没させるシリンダー１２と、シリンダー１２を電気的に回転させる駆動部１３とからなる錠部１を２つ備えたもので、各錠部１，１には夫々施錠状態にあるか解錠状態にあるかを検知する検知手段１４，１４が設けられている。そして上記２つの駆動部１３，１３及び２つの検知手段１４，１４は、制御回路２に接続されている。図中２０は施解錠スイッチ、２１は電源部、４は警報装置である。
【００１４】
上記制御回路２は、施解錠スイッチ２０による解錠入力があれば、２つの錠部１，１の各駆動部１３，１３を駆動して解錠を行うとともに、施解錠スイッチ２０による施錠入力があれば、２つの錠部１，１の各駆動部１３，１３を駆動して施錠を行う。
【００１５】
また、鍵穴１２０に鍵を差し込んでシリンダー１２を回転させることで施解錠を行う時、制御回路２は次の制御を行う。すなわち、鍵による２つの錠部１，１の解錠は時間差をおいて行われることになるが、図３に示すように、一方の錠部１の解錠がなされて検知手段１４による解錠検知出力が制御回路２に入った時点で制御回路２は時間カウントを開始する。そして所定時間ｔ１内にもう一方の錠部１の解錠がなされて検知手段１４による解錠検知出力が制御回路２に入らなければ、制御回路２は既に解錠されている錠部１の駆動部１３に施錠出力を出して施錠させる。
【００１６】
鍵による２つの錠部１，１の開閉は、短い時間内に完了させることができるとともに、一方の錠部１のみを解錠した状態が長時間継続することはないのに対して、ピッキングによって解錠する場合、短時間内に２つの錠部１，１を共に解錠することは困難であり、一方の錠部１のみを解錠した状態が長時間継続することになる。従って、一方の錠部１が解錠されてから所定時間内に他方の錠部１も解錠されない時には、既に解錠された錠部１を施錠状態に戻すことで、防犯上の安全性を確保することができる。
【００１７】
なお、上記所定時間ｔ１は、高齢者が屋外側から順に機械的な解錠動作を行うことを想定すると、３０秒〜１分程度が好ましい。もっとも、本発明はこの時間に限定するものではない。
【００１８】
また、ピッキングによって解錠された錠部１のデッドボルト１１が出ないように、あるいはシリンダー１２が回転することがないようにされた上で他方の錠部１のピッキングによる解錠作業がなされた場合、既に解錠された錠部１の電気的施錠ができなくなる。このために、ここでは制御回路２から施錠出力を出したにもかかわらず、検知手段１４，１４から施錠検知出力が出力されない時には、制御回路２は警報装置３を作動させるようにしてある。
【００１９】
電気的開閉のための駆動部１３の状態を検知する検知部材、たとえば駆動電流を検知する検知部材（図示せず）を設けて、電気的施錠に際して検知部材による異常検知出力（異常電流検知出力）が制御回路２に入力されれば、制御回路２が警報装置４を作動させるようにしてもよい。
【００２０】
また、上記制御回路２は、複数の錠部１，１が解錠状態にある時にいずれか一つの錠部１に鍵やサムターンによる機械的施錠がなされた時、図１に示すように、所定時間ｔ２内に他の解錠状態にある錠部１の駆動部１３に対して施錠出力を出すものとなっている。機械的施錠動作を他の錠部１に対しても行わなくても施錠状態に移行することから、機械的施錠動作の手間が省けるとともに、他の錠部１が解錠状態のままになってしまうことがないものである。
【００２１】
ただし、複数の錠部１のうちの一つを機械的に施錠した後、他の錠部１の電気的な自動施錠がなされるまでの所要時間は、ユーザーが自動施錠されるかどうかの確認待ちの時間を短くするために、この場合の所要時間ｔ２は１秒程度であることが好ましい。また、ここでは上記施錠出力で施錠がなされない場合、警報出力を出して他の錠部１の施錠がなされていないことをユーザーに知らせるようにしてある。
【００２２】
ところで上記制御回路２は、現在の錠部１の状態だけを基に上記制御を行うことはできず、直前の状態が施錠であったか解錠であったかの情報も必要となることから、制御回路２には直前の状態を記憶する記憶部を設けて、検知手段１４錠部１の状態に変化があった時、直前の状態を参照して次の動作を決定するようにしている。この場合、各錠部１の直前の状態と現在の状態そして扉の開閉状態をテーブルとして記録するものを用いて、テーブルの記録状態に応じて実行動作を切り換えるようにしているが、この時、施錠状態にあるか解錠状態にあるかを共に検知することができる検知手段１４の検知出力は、施錠状態から解錠状態に移行させた時、あるいは解錠状態から施錠状態に移行させた時、施錠状態を示す信号と、解錠状態を示す信号とは錠の内部機構や検知方式によるものの、図４に示すように、両信号は若干のずれを持って出力されることから、両信号出力が矛盾の無い状態になってから所要の時間Ｔ（たとえば１０ｍｓ）が経過した時点での信号を制御回路２が採用するようにして、直前の状態及び現在の状態を確実に認識することができるようにしている。
【符号の説明】
【００２３】
１    錠部
２    制御回路
１１  デッドボルト
１２  シリンダー
１３  駆動部
１４  検知手段
【図１】
2010024827.tif 000003
【図２】
2010024827.tif 000004
【図３】
2010024827.tif 000005
【図４】
2010024827.tif 000006